(57)【要約】【課題】簡単な構造で大量の飲料水等を貯水できる連結式貯水装置の提供。【解決手段】  連結式貯水装置Ａは、内部に水を貯水する円筒容器１と、一方側側壁１１の上部から横方向に突設する柱状山型部２と、他方側側壁１２の上部から横方向に突設する柱状嵌合部３と、隣り合う円筒容器１との間に掛け渡され、内底面１０の近くで下開口４０が開口するサイホン管４と、水栓５２を取り付けた給水管５とを具備してなる。避難所等で連結式貯水装置Ａを設置する場合において、柱状嵌合部３を柱状山型部２に嵌め込んで嵌合させれば、設置スペースを有効に使って、複数の円筒容器１を容易に横設することができる。【選択図】図１
0003180201.tif 000002
【実用新案登録請求の範囲】
【請求項１】
上面が開口し、一方側側壁と他方側側壁とが対向する様に複数個横設し、内部に水を貯水するプラスチック製の円筒容器と、
中央の柱の上面に断面Ｕ字状の窪みを形成し、各円筒容器の一方側側壁の上部から横方向に突設する断面略山字状の柱状山型部と、
上面中央に断面Ｕ字状の窪みを形成し、各円筒容器の他方側側壁の上部から横方向に突設し、前記柱状山型部と嵌合可能な断面Π字状の柱状嵌合部と、
前記柱状山型部および前記柱状嵌合部の窪み内に水平部が嵌め込まれ、隣り合う円筒容器との間に掛け渡され、前記円筒容器の内底面の近くで下開口が下向に開口するＵ字状のサイホン管と、
前記円筒容器の内底面の近くで開口する取水口が前記サイホン管の下開口より高い位置に設定され、吐水口側に水栓を取り付けた給水管とを具備してなる連結式貯水装置。
【請求項２】
前記サイホン管の下開口が臨む前記円筒容器の内底面の外縁部に凹部を周設したことを特徴とする請求項１に記載の連結式貯水装置。
【請求項３】
前記サイホン管は、前記水平部に金属パイプを臨ませる中空の金属パイプの両端に軟質ホースを外嵌したもの、または、全てを中空の金属パイプで構成したものであることを特徴とする請求項１または請求項２に記載の連結式貯水装置。
【請求項４】
水を貯水するためのビニール袋を前記円筒容器内に入れ、前記サイホン管の下開口、および前記給水管の前記取水口をビニール袋内に臨ませた請求項１乃至請求項３の何れか１項に記載の連結式貯水装置。
【考案の詳細な説明】
【技術分野】
【０００１】
本考案は、飲料水などを貯水する連結式貯水装置に関する。
【背景技術】
【０００２】
発災で水道が使えなくなった場合、被災家庭や避難所等では、飲料水などを大量に貯水する必要がある。
【０００３】
特許文献１には、複数のタンクを連通管で接続した飲料水保存用給水装置が開示されている。
【先行技術文献】
【特許文献】
【０００４】
【特許文献１】実公平７−４３２１６号公報
【考案の概要】
【考案が解決しようとする課題】
【０００５】
特許文献１の飲料水保存用給水装置は、バルブが多く必要である。
【０００６】
本考案の目的は、簡単な構造で大量の飲料水等を貯水できる連結式貯水装置の提供にある。
【課題を解決するための手段】
【０００７】
（請求項１について）
連結式貯水装置は、内部に水を貯水するプラスチック製の円筒容器と、円筒容器の一方側側壁の上部から横方向に突設する柱状山型部と、円筒容器の他方側側壁の上部から横方向に突設する柱状嵌合部と、隣り合う円筒容器との間に掛け渡されるサイホン管と、吐水口側に水栓を取り付けた給水管とを具備してなる。
【０００８】
円筒容器は、上面が開口し、一方側側壁と他方側側壁とが対向する様に複数個横設されている。
柱状山型部は、断面略山字状であり、中央の柱の上面に断面Ｕ字状の窪みを形成している。
柱状嵌合部は、断面Π字状であり、上面中央に断面Ｕ字状の窪みを形成している。
【０００９】
サイホン管は、Ｕ字状であり、柱状山型部および柱状嵌合部の窪み内に水平部が嵌め込まれ、円筒容器の内底面の近くで下開口が下向に開口している。
給水管は、円筒容器の内底面の近くで開口する取水口がサイホン管の下開口より高い位置に設定されている。
【００１０】
連結式貯水装置は、以下の様にして使用する。
連結式貯水装置を避難所等に設置して全ての円筒容器に水を貯水する場合、何れかの円筒容器内へ水を送水すれば、サイホンの原理で全ての円筒容器に水が入り、各円筒容器内の水の水位が同じレベルになる。
【００１１】
また、給水管の水栓を開けば吐水口から水が吐水するので、その水を飲料水として利用できる。なお、サイホンの原理で各円筒容器内の水の水位は同じレベルで下がっていく。  この際、円筒容器の内底面の近くで開口する給水管の取水口が、サイホン管の下開口より高い位置に設定されているため、給水管の取水口が有る円筒容器の水のレベルが取水口の位置まで低下すると吐水口からの水の吐出が止まる。
【００１２】
吐水口から水の吐出が止まった時点で、全てのサイホン管の下開口は、その円筒容器内に貯水されている水の水面下に位置しているのでサイホン管内には空気が入らない。再開する際は、水栓を一旦閉じて、何れかの円筒容器内へ水を送水して水位を上げれば、再び、吐水口から水を吐水させることができる。
【００１３】
連結式貯水装置は、以下の利点を奏する。
避難所等で連結式貯水装置を設置する場合において、断面Π字状の柱状嵌合部を断面略山字状の柱状山型部に嵌め込んで嵌合させれば、設置スペースを有効に使って、複数の円筒容器を容易に横設することができる。
また、サイホン管の水平部を、柱状山型部および柱状嵌合部の断面Ｕ字状の窪みに嵌め込むという簡単な作業を行うだけで各円筒容器間で水を流通させることができる。サイホン管内を水で満たした状態で嵌め込むか、嵌め込んだ後に水を注入してサイホン管内を水で満たす。
【００１４】
円筒容器の内底面の近くで開口する給水管の取水口を、サイホン管の下開口より高い位置に設定しているので、水を給水管の取水口まで使い切ってもサイホン管内に空気が入らない。このため、吐水口から水の吐出を再開する際に、サイホン管内の空気抜きを行う必要がないので手間がかからない。
【００１５】
設置の必要が無い場合は、円筒容器やサイホン管等を倉庫等に入れておけるので嵩張らず、設置する場合には、円筒容器×連結数で必要とする貯水水量を容易に確保することができる。また、円筒容器を重ねて収納しておくことも可能である。
【００１６】
（請求項２について）
サイホン管の下開口が臨む円筒容器の内底面の外縁部に凹部を周設して凹部内に水が残る様にすれば、給水管の取水口を内底面の近くまで下げることができる。よって、給水管の取水口まで水を使い切るまで吐出可能な水の量を増やすことができる。
【００１７】
（請求項３について）
サイホン管は、水平部に金属パイプを臨ませる中空の金属パイプの両端に軟質ホースを外嵌したもの、または、全てを中空の金属パイプで構成したものが好適である。
前者は、軽量で安価であり、後者は耐久性に優れる。
【００１８】
（請求項４について）
水を貯水するためのビニール袋を円筒容器内に入れ、サイホン管の下開口、および給水管の取水口をビニール袋内に臨ませている。
円筒容器内に入れたビニール袋内に水が貯水されるため、ヒビが入った円筒容器でも水漏れすることなく利用できる。また、未洗浄の円筒容器であっても衛生的に水を貯水することができる。
【図面の簡単な説明】
【００１９】
【図１】実施例１に係る連結式貯水装置の説明図である。
【図２】（ａ）はその連結式貯水装置に用いるサイホン管の説明図、（ｂ）はその連結式貯水装置に用いる他のサイホン管の説明図である。
【図３】円筒容器の一方側側壁の上部から横方向に突設する断面略山字状の柱状山型部の斜視図である。
【図４】（ａ）は柱状山型部と柱状嵌合部とが嵌合した状態を示す上面図であり、（ｂ）はそのｘ−ｘ’線断面図である。
【考案を実施するための形態】
【００２０】
連結式貯水装置は、一方側側壁と他方側側壁とが対向する様に横設し、内部に水を貯水する円筒容器と、
円筒容器の一方側側壁の上部から横方向に突設する断面略山字状の柱状山型部と、
円筒容器の他方側側壁の上部から横方向に突設し、柱状山型部と嵌合可能な断面Π字状の柱状嵌合部と、
隣り合う円筒容器との間に掛け渡され、円筒容器の内底面の近くで下開口が下向に開口するＵ字状のサイホン管と、
吐水口側に水栓を取り付けた給水管とを具備してなる。
【００２１】
避難所等で連結式貯水装置を設置する場合において、断面Π字状の柱状嵌合部を断面略山字状の柱状山型部に嵌め込んで嵌合させれば、設置スペースを有効に使って、複数の円筒容器を容易に横設することができる。
【実施例１】
【００２２】
本考案の実施例１（請求項１、２、３に対応）に係る連結式貯水装置Ａを、図１〜図４に基づいて説明する。
図に示す如く、連結式貯水装置Ａは、プラスチック製の円筒容器１と、一方側側壁１１の上部から横方向に突設する柱状山型部２と、他方側側壁１２の上部から横方向に突設する柱状嵌合部３と、隣り合う円筒容器１、１との間に掛け渡されるサイホン管４と、吐水口５１側に水栓５２を取り付けた給水管５とを具備してなる。
【００２３】
蓋ｆを有する円筒容器１（ポリバケツ）は、上面が開口し、内部に貯水用の水が入れられている。
連結式貯水装置Ａを避難所等に設置する場合、一方側側壁１１と他方側側壁１２とが対向する様に円筒容器１を給水スペースに、例えば３個、横設する。また、本実施例では、サイホン管４の下開口４０が臨む円筒容器１の内底面１０の外縁部に凹部１３を周設している。
【００２４】
柱状山型部２は、中央の柱２１、左柱２２、および右柱２３を断面が略山字状になる様に一体に連結した柱状体であり、中央の柱２１の上面に断面Ｕ字状の窪み２４を形成している。
【００２５】
柱状嵌合部３は、左柱３１および右柱３２を断面が略山字状になる様に一体に連結した柱状体であり、上面中央に断面Ｕ字状の窪み３３を形成している。
【００２６】
サイホン管４は、外観がＵ字状を呈し、本実施例では、外径が１５ｍｍの円筒状の金属製パイプ（２本）である。このサイホン管４は、柱状山型部２および柱状嵌合部３の窪み２４、３３内に長さ約１２ｃｍの水平部４１が嵌め込まれ、隣り合う円筒容器１、１間に掛け渡されている。そして、２本のサイホン管４の下開口４０は、円筒容器１の内底面１０の凹部１３底に近い位置（各下開口４０−凹部１３底との距離は同じ）で下向に開口している。
【００２７】
給水管５は、サイホン管４の下開口４０より高い位置で、円筒容器１の内底面１０の近くの他方側側壁１２に取水口５３が開口している。
【００２８】
連結式貯水装置Ａは、以下の様にして使用する。
避難所等で連結式貯水装置Ａを設置して全ての円筒容器１に水を貯水する場合、何れかの円筒容器１内へ水を送水すれば、サイホンの原理で全ての円筒容器１に水が入り、各円筒容器１内の水の水位が同じレベルになる。
【００２９】
また、給水管５の水栓５２を開けば吐水口５４から水が吐水するので、その水を飲料水として利用できる。なお、サイホンの原理で各円筒容器１内の水の水位は同じレベルで下がっていく。
この際、円筒容器１の内底面１０の近くで開口する給水管５の取水口５３が、サイホン管４の下開口４０より高い位置に設定されているため、給水管５の取水口５３が有る円筒容器１の水のレベルが取水口５３の位置まで低下すると吐水口５４からの水の吐出が止まる。
【００３０】
吐水口５４から水の吐出が止まった時点で、全てのサイホン管４の下開口４０は、その円筒容器１内に貯水されている水の水面下に位置しているのでサイホン管４内には空気が入らない。再開する際は、水栓５２を一旦閉じて、何れかの円筒容器１内へ水を送水して水位を上げれば、再び、吐水口５４から水を吐水させることができる。
【００３１】
連結式貯水装置Ａは、以下の利点を奏する。
避難所等で連結式貯水装置Ａを設置する場合において、断面Π字状の柱状嵌合部３を断面略山字状の柱状山型部２に嵌め込んで嵌合させれば、設置スペースを有効に使って、複数の円筒容器１を容易に横設することができる。
また、サイホン管４の水平部４１を、柱状山型部２および柱状嵌合部３の断面Ｕ字状の窪み２４、３３に嵌め込むという簡単な作業を行うだけで各円筒容器１間で水を流通させることができる。サイホン管４内を水で満たした状態で嵌め込むか、嵌め込んだ後に水を注入してサイホン管４内を水で満たす。
【００３２】
円筒容器１の内底面１０の近くで開口する給水管５の取水口５３を、サイホン管４の下開口４０より高い位置に設定しているので、水を給水管５の取水口５３まで使い切ってもサイホン管４内に空気が入らない。このため、吐水口５１から水の吐出を再開する際に、サイホン管４内の空気抜きを行う必要がないので手間がかからない。
【００３３】
設置の必要が無い場合は、円筒容器１やサイホン管４等を倉庫等に入れておけるので嵩張らず、設置する場合には、円筒容器１×連結数で必要とする貯水水量を容易に確保することができる。
【００３４】
サイホン管４の下開口１０が臨む円筒容器１の内底面１０の外縁部に凹部１３を周設して凹部１３内に水が残る様にしているので、給水管５の取水口５３を内底面１０の近くまで下げることができる。よって、吐出可能な水の量を増やすことができ、給水管５の取水口５３まで水を使い切ることができる。
サイホン管４は、全てを中空の金属パイプで構成しているので耐久性に優れる。
【００３５】
本考案は、下記に示す実施態様を含む。
ａ．水を貯水するためのビニール袋を円筒容器内に入れ、サイホン管の下開口、および給水管の取水口をビニール袋内に臨ませても良い（請求項４に対応）。
円筒容器内に入れたビニール袋内に水が貯水されるため、ヒビが入った円筒容器でも水漏れすることなく利用できる。また、未洗浄の円筒容器であっても衛生的に水を貯水することができる。
【００３６】
ｂ．図２の（ｂ）に示す如く、サイホン管６は、水平部を中空の金属パイプ６１とし、金属パイプ６１の両端に軟質ホース６２を外嵌したものであっても良い。この場合、軽量で安価である（請求項３に対応）。
【００３７】
ｃ．サイホン管の下開口より高い位置に取水口があれば、柱状山型部および柱状嵌合部の断面Ｕ字状の窪みに給水管を嵌め込む構造であっても良い。
ｄ．サイホン管の内径は、大きい（例えは直径３０ｍｍ）ほど良い。
【符号の説明】
【００３８】
Ａ  連結式貯水装置
１  円筒容器
２  柱状山型部
３  柱状嵌合部
４  サイホン管
５  給水管
１０  内底面
１１  一方側側壁
１２  他方側側壁
１３  凹部
２４、３３  窪み
４０  下開口
４１  水平部
５２  水栓
６１  金属パイプ
６２  軟質ホース
【図１】
0003180201.tif 000003
【図２】
0003180201.tif 000004
【図３】
0003180201.tif 000005
【図４】
0003180201.tif 000006